【誤訳訂正書】
【提出日】平成27年3月24日(2015.3.24)
【誤訳訂正１】
【訂正対象書類名】特許請求の範囲
【訂正対象項目名】全文
【訂正方法】変更
【訂正の内容】
【特許請求の範囲】
【請求項１】
スケーラブルビデオ符号化方法であって、
ビデオの映像シーケンスに係る少なくとも一つのルート映像及び残りの映像を複数の階層に分類する段階と、
イントラ予測及びインター予測を含むスケーラブル予測符号化のための複数の参照映像変換技法のうち一つの参照映像変換技法を前記映像シーケンスのうち現在映像の親映像に対して適用することによって、前記映像シーケンスの前記現在映像についての少なくとも一つの参照映像を生成する段階と、
前記少なくとも一つの参照映像を用いて、前記現在映像について予測符号化を行う段階と、
を含む、方法。
【請求項２】
前記方法は、さらに、
前記映像シーケンスに関する参照関係に応じたツリー構造に基づいて、前記映像シーケンスのうちそれぞれの映像によって参照されるそれぞれの親映像を示す親映像インデックス情報を符号化する段階と、を含む、
請求項１に記載の方法。
【請求項３】
前記ビデオは２次元ビデオおよび３次元ビデオのうち少なくとも一つを含み、かつ、
前記映像シーケンスに係る少なくとも一つのルート映像及び残りの映像を複数の階層に分類する段階は、少なくとも一つの映像特性に基づいて前記映像シーケンスを分類する段階を含み、
前記少なくとも一つの映像特性は、多視点映像の視点及び解像度を含む、
請求項１に記載の方法。
【請求項４】
前記現在映像について予測符号化を行う段階は、
前記予測符号化のために、前記親映像の復元映像および参照情報のうちどちらを参照するべきかを決定する段階と、
前記決定に基づいて、前記親映像の復元映像または参照情報のうち一つを参照して前記現在映像を予測する段階と、を含み、
前記現在映像および対応する前記親映像との参照予測関係に応じたツリー構造に基づいて、前記現在映像について前記対応する親映像、前記親映像の前記復元映像、および、前記参照情報を示す情報のうちいずれか一つが参照されるか否かを示す情報を符号化する、
請求項１に記載の方法。
【請求項５】
前記方法は、さらに、
前記参照映像変換技法を示す情報を符号化する段階と、を含み、
前記参照映像変換技法は、スケーリング技法、インターレース方式−プログレッシブ方式転換技法、カラー変換技法、フィルタリング技法、ワーピング技法、重み付け技法及び階層間補間技法のうち少なくとも一つを含み、
前記少なくとも一つの参照映像を生成する段階は、一つの親映像に対して前記参照映像変換技法を適用する段階を含む、
請求項１に記載の方法。
【請求項６】
前記少なくとも一つの参照映像を生成する段階は、前記現在映像について前記参照映像変換技法を使用することによって生成された少なくとも一つの参照映像を含む参照映像リストを生成する段階を含み、
前記予測符号化を行う段階は、前記参照映像リストに保存された少なくとも一つの映像を参照して前記現在映像についてを予測符号化を行う段階を含む、
請求項５に記載の方法。
【請求項７】
スケーラブルビデオ復号化方法であって、
ビデオのビットストリームを受信してパージングし、前記ビデオの映像シーケンスのうち少なくとも一つのルート映像及び残りの映像が複数の階層に分類されて符号化されたデータを抽出する段階と、
階層内の予測及び階層間の予測を含むスケーラブル予測復号化のための複数の参照映像変換技法のうち一つの参照映像変換技法に基づいて、前記映像シーケンスの復元映像のうち親映像を現在映像についての少なくとも一つの参照映像に変換する段階と、
前記少なくとも一つの参照映像を用いて、前記現在映像を予測復号化して復元する段階と、
を含む、方法。
【請求項８】
前記抽出段階は、前記パージングされたビットストリームから、前記映像シーケンスのうちそれぞれの映像が参照する親映像を示す親映像インデックス情報を抽出する段階を含み、
前記参照映像変換段階は、前記親映像インデックス情報に基づいて前記映像シーケンスの参照関係によるツリー構造を分析し、前記現在映像が参照するための前記親映像を前記映像シーケンスの復元映像から検索する段階を含む、
請求項７に記載の方法。
【請求項９】
２次元ビデオまたは３次元ビデオの前記映像シーケンスの階層は、前記映像シーケンスの少なくとも一つの映像特性によって分類され、
前記映像シーケンスを階層別に分類した映像特性は、多視点映像の視点及び解像度を含む、
請求項７に記載の方法。
【請求項１０】
前記抽出段階は、
前記現在映像の予測復号化のために、前記親映像の復元映像または参照情報のうちいずれか一つを参照するかどうかを示す参照対象情報をさらに抽出する段階を含む、
請求項８に記載の方法。
【請求項１１】
前記親映像を少なくとも一つの参照映像に変換する段階は、
前記参照映像変換技法は、スケーリング技法、インターレース方式−プログレッシブ方式転換技法、カラー変換技法、フィルタリング技法、ワーピング技法、重み付け技法及び階層間補間技法のうち少なくとも一つを含み、
前記参照映像変換段階は、一つの親映像を前記参照映像変換技法に適用して、前記現在映像のための少なくとも一つの参照映像を生成する段階を含む、
請求項７に記載の方法。
【請求項１２】
前記参照映像生成段階は、前記現在映像について、前記参照映像変換技法によって生成された少なくとも一つの参照映像を保存する参照映像リストを生成する段階を含み、
前記復元段階は、前記参照映像リストに保存された少なくとも一つの映像を参照して前記現在映像を予測復号化して復元する段階を含む、
請求項１１に記載の方法。
【請求項１３】
スケーラブルビデオ符号化装置であって、
ビデオの映像シーケンスのうち少なくとも一つのルート映像及び残りの映像を複数の階層に分類する階層分類部と、
階層内の予測及び階層間の予測を含むスケーラブル予測符号化のための複数の参照映像変換技法のうち一つの参照映像変換技法に基づいて、前記映像シーケンスのうち現在映像の親映像を用いて前記現在映像についての少なくとも一つの参照映像を生成する参照映像生成部と、
前記少なくとも一つの参照映像を用いて、前記現在映像を予測符号化する予測符号化部と、
前記映像シーケンスのうちそれぞれの映像の予測符号化されたデータについて変換、量子化及びエントロピー符号化を行って、符号化されたビットストリーム及び前記それぞれの映像の親映像を示す親映像インデックス情報を出力する出力部と、
を備える、装置。
【請求項１４】
スケーラブルビデオ復号化装置であって、
ビデオのビットストリームを受信してパージングし、前記ビデオの映像シーケンスに係る少なくとも一つのルート映像及び残りの映像が複数の階層に分類され、符号化されたデータを抽出する受信抽出部と、
前記抽出された映像シーケンスの符号化されたデータを復号化し、前記映像シーケンスの残差情報及び参照情報を出力する復号化部と、
イントラ予測及びインター予測を含むスケーラブル予測符号化のための複数の参照映像変換技法のうち一つの参照映像変換技法を前記映像シーケンスのうち現在映像の親映像に対して適用することによって、前記映像シーケンスの前記現在映像についての少なくとも一つの参照映像に変換する参照映像変換部と、
前記少なくとも一つの参照映像、及び前記現在映像の参照情報と残差情報とを用いて前記現在映像を予測復号化して前記ビデオの復元映像を生成する復元部と、
を備える、装置。
【請求項１５】
請求項１及び６に記載の方法をコンピュータで具現するためのプログラムが記録された、コンピュータで読み取り可能な記録媒体。
【誤訳訂正２】
【訂正対象書類名】明細書
【訂正対象項目名】００１８
【訂正方法】変更
【訂正の内容】
【００１８】
一実施形態による参照映像変換技法は、バイパス技法、スケーリング技法、インターレース方式−プログレッシブ方式転換技法、カラー変換技法、フィルタリング技法、ワーピング技法、重み付け技法及び階層間補間技法のうち少なくとも一つを含む。したがって、参照映像生成部１２０は、一つの親映像を一つ以上の参照映像変換技法に適用して、現在映像のための参照映像を一つ以上に生成する。
【誤訳訂正３】
【訂正対象書類名】明細書
【訂正対象項目名】００３５
【訂正方法】変更
【訂正の内容】
【００３５】
一実施形態による参照映像変換部２３０は、バイパス技法、スケーリング技法、インターレース方式−プログレッシブ方式転換技法、カラー変換技法、フィルタリング技法、ワーピング技法、重み付け技法及び階層間補間技法のうち少なくとも一つを含む参照映像変換技法に基づいて、一つの親映像を、現在映像のための少なくとも一つの参照映像に変換する。
【誤訳訂正４】
【訂正対象書類名】明細書
【訂正対象項目名】００７０
【訂正方法】変更
【訂正の内容】
【００７０】
参照映像変換技法６３０の多様な変換技法によって、一つの親映像から複数の参照映像が生成される。例えば、参照映像変換技法６３０は、バイパス技法、スケーリング技法、インターレース方式−プログレッシブ方式転換技法、カラー変換技法、フィルタリング技法、ワーピング技法、重み付け技法及び階層間補間技法などを含む。
【誤訳訂正５】
【訂正対象書類名】明細書
【訂正対象項目名】００７３
【訂正方法】変更
【訂正の内容】
【００７３】
参照映像変換技法６３０のうちカラー変換技法に基づいて、親映像のカラー成分が変形された参照映像が生成されることもある。参照映像変換技法６３０のうちフィルタリング技法に基づいて、親映像について所定フィルタを適用して参照映像が生成されることもある。参照映像変換技法６３０のうちラッピング技法に基づいて、親映像がワーピングされた参照映像が出力されることもある。また参照映像変換技法６３０のうち重み付け技法に基づいて、親映像について所定の重み付けがされた参照映像が生成される。